(57)【要約】【課題】  筐体内の空間を有効に活用しつつ、光学部材の位置を容易に調節することができる電子機器を提供する。【解決手段】  画像の投影方向を偏向するミラー４２を有する投影部を収容する筐体４と、前記筐体４の内壁面と、前記ミラー４２との間の空間に設けられ、前記投影部を構成する少なくとも１つの光学部材の位置を調節する調節部材５０，５２と、前記筐体４の外面に設けられ、前記調節部材５０，５２を操作する操作部材２０とを備える。【選択図】  図５
2010066427.tif 000002
【特許請求の範囲】
【請求項１】
画像の投影方向を偏向するミラーを有する投影部を収容する筐体と、
前記筐体の内壁面と、前記ミラーとの間の空間に設けられ、前記投影部を構成する少なくとも１つの光学部材の位置を調節する調節部材と、
前記筐体の外面に設けられ、前記調節部材を操作する操作部材と、
を備えることを特徴とする電子機器。
【請求項２】
前記調節部材は、前記画像に対するフォーカス位置を調節することを特徴とする請求項１記載の電子機器。
【請求項３】
前記調節部材は、前記画像の投影倍率を調節することを特徴とする請求項１記載の電子機器。
【請求項４】
被写体を撮像する撮像部と、画像の投影方向を偏向するミラーを有する投影部とを収容する筐体と、
前記筐体の内壁面と、前記ミラーとの間の空間に設けられ、前記投影部を構成する少なくとも１つの光学部材の位置を調節する調節部材と、
前記筐体の外面に設けられ、前記調節部材を操作する操作部材と、
を備えることを特徴とする撮像装置。
【請求項５】
前記調節部材は、前記画像に対するフォーカス位置を調節することを特徴とする請求項４記載の撮像装置。
【請求項６】
前記調節部材は、前記画像の投影倍率を調節することを特徴とする請求項４記載の撮像装置。
【発明の詳細な説明】
【技術分野】
【０００１】
本発明は、プロジェクタユニットを備えた電子機器及び撮像装置に関するものである。
【背景技術】
【０００２】
被写体の撮影機能と、画像の投影機能とを備えた電子機器として、筐体内に組み込まれたプロジェクタユニットを用いて画像を投影する撮像装置が知られている（例えば、特許文献１参照）。
【特許文献１】特開２００５−２５０３９２号公報
【発明の開示】
【発明が解決しようとする課題】
【０００３】
しかし、上述のプロジェクタユニットを備えた撮像装置においては、プロジェクタユニットを構成する投影光学系のフォーカス位置など、投影機能に関する調節を行う手段が開示されていない。また、この投影機能に関する調節を行うための調節部材を、装置本体の大きさを変えずに搭載するのは困難であった。
【０００４】
本発明の目的は、筐体内の空間を有効に活用しつつ、光学部材の位置を容易に調節することができる電子機器及び撮像装置を提供することである。
【課題を解決するための手段】
【０００５】
本発明の電子機器は、画像の投影方向を偏向するミラーを有する投影部を収容する筐体と、前記筐体の内壁面と、前記ミラーとの間の空間に設けられ、前記投影部を構成する少なくとも１つの光学部材の位置を調節する調節部材と、前記筐体の外面に設けられ、前記調節部材を操作する操作部材とを備えることを特徴とする。
【０００６】
また、本発明の撮像装置は、被写体を撮像する撮像部と、画像の投影方向を偏向するミラーを有する投影部とを収容する筐体と、前記筐体の内壁面と、前記ミラーとの間の空間に設けられ、前記投影部を構成する少なくとも１つの光学部材の位置を調節する調節部材と、前記筐体の外面に設けられ、前記調節部材を操作する操作部材とを備えることを特徴とする。
【発明の効果】
【０００７】
本発明の電子機器及び撮像装置によれば、筐体内の空間を有効に活用しつつ、光学部材の位置を容易に調節することができる。
【発明を実施するための最良の形態】
【０００８】
以下、図面を参照して本発明の実施の形態に係るカメラについて説明する。図１は、実施の形態に係るカメラの外観を示す斜視図である。カメラ２は、前面カバー４及び背面カバー６を備えており、前面カバー４には、撮影窓８、プロジェクタ投影窓１０、フラッシュ光が射出されるフラッシュ窓１２が設けられている。また、カメラ２の上部には、電源スイッチ１４、レリーズ動作を指示するシャッタボタン１６、カメラ撮影を行う撮影モードとプロジェクタ投影を行うプロジェクタモードとを切り替えるモード切替ボタン１８、プロジェクタ投影時の投影画像のピント調整を行うための操作レバーであるプロジェクタフォーカスつまみ２０等が設けられている。
【０００９】
図２は、実施の形態に係るカメラ２の背面の構成を示す図である。カメラ２の背面カバー６には、撮影画像の表示、再生等を行うＬＣＤ表示部２２、ＬＣＤ表示部２２に表示された撮影条件等を選択するマルチセレクタ等を備える操作部２４が設けられている。
【００１０】
図３は、実施の形態に係るカメラ２において、内部に収容されている各ユニットの配置を示す正面図である。カメラ２の内部には、被写体を撮像するための撮像素子等を有する撮像ユニット２６、投影画像を投影するための光学部材等を有するプロジェクタユニット２８、撮像ユニット２６及びプロジェクタユニット２８に電力を供給するバッテリを収容する電池室３０が設けられている。
【００１１】
図４は、実施の形態に係るプロジェクタユニット２８の構成を示す断面図である。光源であるＬＥＤ（発光ダイオード）３２から射出された光は、集光レンズ３４により略平行光となり、入射した光をＰ偏光成分の光とＳ偏光成分の光とに分離する偏光ビームスプリッタ３６に入射する。偏光ビームスプリッタ３６に入射した光のうち、Ｓ偏光成分の光は図４における下方に反射され、黒色処理等の無反射処理が施されている下面３６ａに入射する。偏光ビームスプリッタ３６に入射した光のうち、Ｐ偏光成分の光は、偏光ビームスプリッタ３６を透過し、投影する画像を表示するＬＣＯＳ（反射型液晶素子）３８に入射する。
【００１２】
ここで、ＬＣＯＳ３８を構成する図示しない液晶層は、電圧が印加されると入射光に対して位相板として機能する。したがって、ＬＣＯＳ３８から射出する光のうち液晶層により電圧が印加された画素領域を通過した光は、Ｐ偏光成分の光からＳ偏光成分の光に変換され、ＬＣＯＳ３８から射出する光のうち液晶層により電圧が印加されていない画像領域を通過した光は、Ｐ偏光成分の光として進行する。
【００１３】
Ｓ偏光成分とＰ偏光成分との混合光として偏光ビームスプリッタ３６に再度入射した光は、偏光ビームスプリッタ３６によりＳ偏光成分の光のみ反射される。偏光ビームスプリッタ３６により反射されたＳ偏光成分の光は、投影用光学像を投影するための投影レンズ群４０及び投影用光学像の投影方向を偏向させるためのミラー４２を介してプロジェクタ投影窓１０からカメラ２の前方へ投射される。即ち、ＬＣＯＳ３８に表示された画像が投影用光学像として読み出され、カメラ２の前方向へ投射される。
【００１４】
図５は実施の形態に係るカメラ２の前面カバー４及び前面カバー４の内部に配置されたプロジェクタユニット２８の斜視図、図６（ａ）はその正面図、（ｂ）はその平面図、（ｃ）はその右側面図である。図５及び図６に示すように、プロジェクタユニット２８はカメラ２の略中央部に位置し、投影レンズ群４０から射出した光の進行方向に対して斜設されたミラー４２と前面カバー４の内壁面との間の空間、即ちミラー４２の裏面側の空間に、フォーカスレバー５０が設けられている。また、フォーカスつまみ２０とフォーカスレバー５０の間に、フォーカスつまみ２０とフォーカスレバー５０とを繋ぎ、連動させるためのフォーカス連動板５２が設けられている。フォーカスレバー５０及びフォーカス連動板５２は、金属等により形成されている。
【００１５】
図７は、プロジェクタユニット２８、フォーカスつまみ２０、フォーカスレバー５０及びフォーカス連動板５２をカメラ２の前面カバー４に取り付ける状態を示す図である。図７に示すように、フォーカス連動板５２は、カメラ２の上部のフォーカスつまみ２０が配置されるスリット形状の開口部４ａを介してフォーカスつまみ２０と結合される。フォーカス連動板５２は、フォーカスつまみ２０と結合する第１の面５２ａ、及び第１の面５２ａに対して略直角に折り曲げられ、フォーカスレバー５０と結合する第２の面５２ｂを有している。ビス５４を、第１の面５２ａに設けられている貫通穴５２ｃに挿入し、フォーカスつまみ２０の裏側に設けられているビス穴（図示せず）に締め付けることにより、フォーカスつまみ２０にフォーカス連動板５２を結合させる。このとき、第１の面５２ａに設けられている先端板バネ部５２ｄは、前面カバー４の上面内部に押し当てられ、フリクション機構として機能する。また、かしめピン５６を、第２の面５２ｂに設けられている貫通穴５２ｅに挿入し、かしめて、フォーカスレバー５０の図７における上部に設けられているＵ字型切欠部５０ａに係合させることにより、フォーカスレバー５０とフォーカス連動板５２を連結する。
【００１６】
フォーカスレバー５０は、Ｌ字型の形状を有しており、投影レンズ群４０が収容されている鏡筒４０ａの側面に沿って延び、ミラー４２の傾斜面に沿って折り曲げられた部分を有している。かしめ軸５８を、フォーカスレバー５０の鏡筒４０ａの側面に沿った部分に設けられている貫通穴５０ｂ及び鏡筒４０ａの側面に設けられている貫通穴４０ｂに挿入してかしめることにより、フォーカスレバー５０は、鏡筒４０ａに対して回動可能に固定される。
【００１７】
また、フォーカスレバー５０には、Ｕ字型切欠部５０ａが形成されている端部とは異なる端部に、Ｕ字型切欠部５０ｃが設けられている。また、鏡筒４０ａの側面には、投影レンズ群４０に含まれるフォーカスレンズに接合されているボス６０が挿通するスリット形状の開口部４０ｃが設けられている。ボス６０を、Ｕ字型切欠部５０ｃに係合することにより、ボス６０に対してフォーカスレバー５０を係合させる。
【００１８】
このように各部品が連結されるため、フォーカスつまみ２０を開口部４ａのスリット方向にスライド移動させると、フォーカスレンズは、投影レンズ群４０の光軸方向に移動する。具体的には、フォーカスつまみ２０を移動させることによりフォーカス連動板５２も同一方向に移動する。これにより、フォーカスレバー５０がかしめ軸５８を軸として鏡筒４０ａに対して回動し、ボス６０が開口部４０ｃのスリット方向に移動し、フォーカスレンズが投影レンズ群４０の光軸方向に移動して、フォーカス位置が変化する。したがって、フォーカスつまみ２０をスライド移動させることにより、投影画像に対する投影レンズ群４０のフォーカス位置を調節することができる。
【００１９】
本実施の形態に係るカメラ２によれば、外部に設けられたフォーカスつまみ２０を操作することにより容易に投影画像に対する投影レンズ群４０のフォーカス位置を調節することができる。また、ミラー４２が斜設されることにより生じる前面カバー４の内壁面とミラー４２との間の空間に、調節機構としてのフォーカスレバー５０及びフォーカス連動板５２を配置しているため、調節機構を設置するためのスペースを特別に設ける必要がない。即ち、カメラ２のサイズを大きくすることなく、調節機構を設けることができる。
【００２０】
なお、本実施の形態においては、フォーカスレバー５０、フォーカス連動板５２及びフォーカスつまみ２０を用いてフォーカス位置を調節しているが、同様の構成を用いて投影画像の投影倍率を調節することもできる。この場合には、フォーカスレバー５０、フォーカス連動板５２及びフォーカスつまみ２０と同様の構成を有する倍率調節レバー、倍率調節連動板、倍率調節つまみを設け、これらと投影レンズ群４０に含まれるズームレンズに接合されたボスとを連結する。倍率調節つまみをスライド移動させると、ズームレンズは、投影レンズ群４０の光軸方向に移動し、投影画像の投影倍率を調節することができる。
【００２１】
また、本実施の形態においては、金属等により構成されるフォーカスレバー５０を備え、かしめ軸５８を用いてフォーカスレバー５０及び鏡筒４０ａを連結しているが、例えば樹脂等により構成されるフォーカスレバーを備え、バヨネットと同様の構成を用いてフォーカスレバー及び鏡筒４０ａを連結することもできる。この場合には、かしめ軸５８を用いずにフォーカスレバー及び鏡筒４０ａを連結させることができるため、調節機構を構成する部品の数が減り、コストを抑えることができる。
【００２２】
また、本実施の形態においては、金属等により構成されるフォーカス連動板５２を備えているが、金属以外の例えば樹脂等により構成されるフォーカス連動板を備えることもできる。この場合には、フォーカス連動板とかしめピンを一体に構成することができるため、調節機構を構成する部品の数が減り、コストを抑えることができる。
【００２３】
また、本実施の形態においては、撮像装置としてカメラを例に挙げて説明したが、他の撮像装置または他の電子機器（例えば、携帯電話等）にも本発明を適用することができる。
【図面の簡単な説明】
【００２４】
【図１】実施の形態に係るカメラの外観を示す斜視図である。
【図２】実施の形態に係るカメラの背面の構成を示す図である。
【図３】実施の形態に係るカメラ内部に収納された各ユニットの配置を示す正面図である。
【図４】実施の形態に係るプロジェクタユニットの構成を示す図である。
【図５】実施の形態に係るカメラの前面カバー及び前面カバーの内部に配置されたプロジェクタユニットの斜視図である。
【図６】実施の形態に係るカメラの前面カバーの内部に配置されたプロジェクタユニットの図である。
【図７】プロジェクタユニット、フォーカスつまみ、フォーカスレバー及びフォーカス連動板をカメラの前面カバーに取り付ける状態を示す図である。
【符号の説明】
【００２５】
２…カメラ、４…前面カバー、６…背面カバー、１０…プロジェクタ投影窓、２０…フォーカスつまみ、２６…撮像ユニット、２８…プロジェクタユニット、３０…電池室、３２…ＬＥＤ、３６…偏光ビームスプリッタ、３８…ＬＣＯＳ、５０…フォーカスレバー、５２…フォーカス連動板。
【図１】
2010066427.tif 000003
【図２】
2010066427.tif 000004
【図３】
2010066427.tif 000005
【図４】
2010066427.tif 000006
【図５】
2010066427.tif 000007
【図６】
2010066427.tif 000008
【図７】
2010066427.tif 000009